(57)【特許請求の範囲】
【請求項１】
照明灯からの人工光と自然光を含む照度を光検出器で検出して前記照明灯の調光を制御する調光制御方法において、
前記照明灯への供給入力を点灯開始時に第１の所定値に設定する第１の工程と、
前記照明灯への供給入力を第２の所定値だけ減少させると共に、減少前後の照度を前記光検出器で検出する第２の工程と、
前記第２の工程で検出した照度の変化率が所定の閾値以上の場合に、前記照明灯への供給入力を第３の所定値だけ増加させる第３の工程とを備え、
前記第２の工程と前記第３の工程を繰り返すことにより、自然光量の大きさに合せて、前記照明灯への供給入力を低減させることを特徴とする照明灯の調光制御方法。
【請求項２】
前記第１の所定値は、前記照明灯を最大出力で点灯させる値であることを特徴とする請求項１記載の照明灯の調光制御方法。
【請求項３】
前記変化率は、前記第２の工程において前記光検出器で検出された減少前後の照度の差を減少前の照度で割った計算値であることを特徴とする請求項１または２記載の照明灯の調光制御方法。
【請求項４】
前記第３の所定値を前記第２の所定値より大きく設定したことを特徴とする請求項１乃至３のいずれかに記載の照明灯の調光制御方法。
【請求項５】
前記第２の工程において、
前記光検器により検出された減少後の照度と、前回の第２の工程において前記光検器により検出された減少後の照度との差を所定の第２の閾値と比較し、
前記出力差が前記第２の閾値未満の場合には、第３の工程へ移行する一方、
前記第２の閾値以上の場合には、前記第１の工程まで戻ることを特徴とする請求項１乃至４のいずれかに記載の照明灯の調光制御装置。
【請求項６】
照明灯からの人工光と自然光を含む照度を複数の光検出器で検出し、前記複数の光検出器の出力差が所定の第３の閾値未満になった時、これら光検出器の出力に基づいて平均照度を算出し、前記照明灯の調光を制御する調光制御方法において、
前記照明灯への供給入力を点灯開始時に第１の所定値に設定する第１の工程と、
前記照明灯への供給入力を第２の所定値だけ減少させると共に、減少前後の平均照度を前記複数の光検出器の出力に基づいて算出する第２の工程と、
前記第２の工程で算出した平均照度の変化率が所定の第１の閾値以上の場合に、前記照明灯への供給入力を第３の所定値だけ増加させる第３の工程とを備え、
前記第２の工程と前記第３の工程を繰り返すことにより、自然光量の大きさに合せて、前記照明灯への供給入力を低減させることを特徴とする照明灯の調光制御方法。
【請求項７】
前記第１の所定値は、前記照明灯を最大出力で点灯させる値であることを特徴とする請求項６記載の照明灯の調光制御方法。
【請求項８】
前記変化率は、前記第２の工程において前記複数の光検出器の出力に基づいて算出された減少前後の平均照度の差を減少前の平均照度で割った計算値であることを特徴とする請求項６または７記載の照明灯の調光制御方法。
【請求項９】
前記第２の工程において、
前記複数の光検出器の出力に基づいて算出された減少後の平均照度と、前回の第２の工程において前記複数の光検出器の出力に基づいて算出された減少後の平均照度との差を所定の第２の閾値と比較し、
前記差が前記第２の閾値未満の場合には、前記第３の工程へ移行する一方、前記第２の閾値以上の場合には、前記第１の工程まで戻ることを特徴とする請求項６乃至８のいずれかに記載の照明灯の調光制御装置。
【発明の詳細な説明】
【０００１】
【発明の属する技術分野】
この発明は、自然光を効率よく利用して照明灯の最適な調光制御を行い、省エネ化を図った照明灯の調光制御方法に関するものである。
【０００２】
【従来の技術】
図８は、特開昭５９−５５９７号公報に開示されている照明装置を説明する概略構成図である。図８において、照明装置は光センサー５、照明灯８、制御回路部９から構成される。
【０００３】
次に、図８を参照しながら照明装置の動作について説明する。照明装置の一構成部品である光センサー５は、床で反射された外部からの自然光と照明灯８からの人工光とを検出する。そして、自然光の量が大きくなるに伴って、照明灯８の調光度を低くさせるように、制御回路部９により調光制御する。これによって、自然光を利用しながら室内を所定の明るさ（照度）に維持できる。
【０００４】
【発明が解決しようとする課題】
従来の照明装置は、光センサーを照明装置へ組み込むように構成しているので、光センサーの受光量が床面の色又は光検出器と床との距離によって大きく変化する。例えば、床面が白色の場合は、床からの反射光量が大きいので光センサーの受光量は大となる。また、床面が黒色の場合は、床からの反射光量が小さいので光センサーの受光量は小となる。このために、照明灯からの人工光量が変動するので、自然光を利用しながら部屋の明るさを一定に維持できない。したがって、部屋に照明装置を設置した際には環境状態を考慮した上で、別に手動により明るさ調整を行う必要があった。例えば、天井から吊り下がっている照明装置の場合は、昼光量が最大である日照時間帯を選定して、脚立などを用いて照明装置に組み込まれた制御回路部の明るさ調整を行う必要がある。しかし、照明装置の明るさ調整は前述のように多大な労力と時間などを費やすという問題点があった。
【０００５】
また、従来の照明装置は自然光量が大から中へと小さく変化した際には、光センサーの検出精度又は検出方法により、照明灯の緻密な調光制御ができないという問題点があった。
【０００６】
また、照明装置の真下を人間が横切ったり、あるいは人間が止まった場合に、光センサーの受光量が変動するので照明灯の調光度は変化して不安定な明るさの状態となり、非常に違和感を生じるという問題点があつた。
【０００７】
また、図９に示すように光センサーを人間が存在する側に近い場所、つまり床面又は机上に配置させる。そして、光センサーの出力に応じて照明灯を調光した場合に、床面の色などに依存することはなく、照明灯の明るさを所定通りに維持できる。しかし、光センサーの出力を有線又は無線で送り出すために、配線工事の複雑さ、回路コストアップという問題点があった。
【０００８】
この発明は、このような問題点を解決するためになされたもので、部屋の床面の色又は照明装置に組み込まれる光センサーと床との距離によって照明灯の明るさが変化しないように、明るさ調整を自動的に行うことができる照明灯の調光制御方法を提供することを目的としている。
【０００９】
また、光センサーによる明るさの検出方法を工夫し、外部からの自然光量が小さく変化した場合でも照明灯の緻密な調光制御が可能となる照明灯の調光制御方法を提供することを目的としている。
【００１０】
また、照明装置の真下を人間が横切ったり、あるいは人間が止まった場合でも、照明灯の調光度は変化することがなく安定した明るさを維持でき、違和感を生じない照明灯の調光制御方法を提供することを目的としている。
【００１１】
【課題を解決するための手段】
この発明に係わる調光制御方法は、照明灯からの人工光と自然光を含む照度を光検出器で検出して照明灯の調光を制御する調光制御方法において、照明灯への供給入力を点灯開始時に第１の所定値に設定する第１の工程と、照明灯への供給入力を第２の所定値だけ減少させると共に、減少前後の照度を光検出器で検出する第２の工程と、第２の工程で検出した照度の変化率が所定の閾値以上の場合に、照明灯への供給入力を第３の所定値だけ増加させる第３の工程とを備え、第２の工程と第３の工程を繰り返すことにより、自然光量の大きさに合せて、前記照明灯への供給入力を低減させるようにしたものである。
また第１の所定値は、前記照明灯を最大出力で点灯させる値であるようにしたものである。
また変化率は、前記第２の工程において前記光検出器で検出された減少前後の照度の差を減少前の照度で割った計算値であるようにしたものである。
【００１２】
また、第３の所定量を第２の所定量より大きく設定するようにしたものである。
【００１３】
また、第２の工程において、光検出器により検出された減少後の照度と、前回の第２の工程において光検器により検出された減少後の照度との差を所定の第２の閾値と比較し、出力差が第２の閾値未満の場合には、第３の工程へ移行する一方、第２の閾値以上の場合には、第１の工程まで戻るようにしたものである。
【００１４】
また、照明灯からの人工光と自然光を含む照度を複数の光検出器で検出し、複数の光検出器の出力差が所定の第３の閾値未満になった時、これら光検出器の出力に基づいて平均照度を算出し、照明灯の調光を制御する調光制御方法において、照明灯への供給入力を点灯開始時に第１の所定値に設定する第１の工程と、照明灯への供給入力を第２の所定値だけ減少させると共に、減少前後の平均照度を複数の光検出器の出力に基づいて算出する第２の工程と、第２の工程で算出した平均照度の変化率が所定の第１の閾値以上の場合に、照明灯への供給入力を第３の所定値だけ増加させる第３の工程とを備え、第２の工程と第３の工程を繰り返すことにより、自然光量の大きさに合せて、照明灯への供給入力を低減させるようにしたものである。
また第１の所定値は、照明灯を最大出力で点灯させる値であるようにしたものである。
また変化率は、第２の工程において複数の光検出器の出力に基づいて算出された減少前後の平均照度の差を減少前の平均照度で割った計算値であるようにしたものである。
さらにまた第２の工程において、複数の光検出器の出力に基づいて算出された減少後の平均照度と、前回の第２の工程において複数の光検出器の出力に基づいて算出された減少後の平均照度との差を所定の第２の閾値と比較し、差が第２の閾値未満の場合には、第３の工程へ移行する一方、第２の閾値以上の場合には、前記第１の工程まで戻るようにしたものである。
【００１５】
【発明の実施の形態】
実施の形態１．
図１は、この発明による照明灯の調光制御方法の一実施の形態を説明する構成図である。図１において、２は商用電源１を直流電圧に変換する整流・平滑回路、３は整流・平滑回路２で変換された直流電圧を４００ｖに昇圧するコンバータ、４は光センサー５の出力に基づいて調光周波数を決定する調光制御回路、６は調光制御回路４で駆動制御されるインバータ、８はインバータ６からの高周波電圧をコイル７を介して点灯する照明灯である。なお、光センサー５を照明灯８の近傍に設けるよう機構設計する。こうした構成により、インバータ４から出力される高周波電力の周波数が高くなればコイル６のインピーダンスが大きくなり、放電灯５に流れる電流は制限される。これによって、照明装置の明るさが調整される。例えば、目標調光度１００％（最大出力）の場合は高周波電力の周波数５０ｋＨｚ、目標調光度４０％（最大出力の４０％の明るさ）の場合は高周波電力の周波数８０ｋＨｚとなる。
【００１６】
また、図２に示すフローチャートを用いて照明灯の調光制御の動作を説明する。図２において、点灯スイッチをＯＮすると（ステップＳ０）、照明灯８は最大出力で点灯する（ステップＳ１０）。そして、光センサー５で照明灯８の人工光及び自然光の照度を検出し、検出量に応じた光センサー５の出力Ａ１を読み込む（ステップＳ２０）。この後に、照明灯８への供給入力を所定量だけ減少させ（ステップＳ３０）、光センサー５で照明灯８からの人工光及び自然光の照度を検出し、検出量に応じた光センサー５の出力Ａ２を読み込む（ステップＳ４０）。次に、光センサー５の出力Ａ１と出力Ａ２とから、出力変化（Ａ１−Ａ２）を出力Ａ１で割った出力変化率αを算出する（ステップＳ５０）。そして、光センサー５の出力変化率αと部屋の照度が適正領域の下限値であるかどうかを判別するしきい値Ｃ１との大きさを比較する（ステップＳ６０）。もし、仮にα≧Ｃ１を満足しないときはＮＯと判断し、つまり部屋の明るさを自然光が支配していると判断し、再び光センサー５の出力Ａ１を読み込んだ（ステップＳ２０）後に、照明灯８への供給入力を所定量だけ減少させる（ステップＳ３０）。以下、前述と同様の動作フローを繰り返す。
【００１７】
また、光センサー５の出力変化率αとしきい値Ｃ１との大きさを比較し（ステップＳ６０）、仮にα≧Ｃ１を満足するときはＹＥＳと判断し、つまり部屋の明るさをを照明灯８が支配していると判断し、照明灯８への供給入力を所定量だけ増大させる（ステップＳ７０）。ここでは、照明灯８への供給入力の減少量と増大量との大きさを同等とする。そして、再び光センサー５の出力Ａ１を読み込んだ（ステップＳ２０）後に、照明灯８への供給入力を所定量だけ減少させる（ステップＳ３０）。以下、前述と同様の動作を繰り返す。なお、照明灯８への供給入力を減少又は増大させる際には、人間の目に対してチラツキを感じない程度に入力変化させる。このような動作フローチャートの制御プログラムを、調光制御回路４に予め設定しておく。このことは、実施の形態２についても同様である。
【００１８】
また、照明灯８の調光制御の動作を、図３に示すタイミングチャートを併用して説明する。図３において、自然光量が大きい場合つまり自然光が支配的の場合には、横軸の経過時間に伴って縦軸の照明灯８への供給入力は徐々に減少していく。そして、第１基準レベルに到達した直後に供給入力が所定量だけ増大し、第２基準レベルに到達した直後に供給入力が再び所定量だけ減少する（図３中のＡライン）。このような一連の動作を、連続的に繰り返す。ここで、第１の基準レベルとは部屋の照度が適正領域の下限値に至ったときの照明灯８への供給入力の値である。第２の基準レベルとは、部屋の照度が適正領域の上限値に至ったときの照明灯８への供給入力の値である。このことは、実施の形態２，３についても同様である。
【００１９】
こうした照明灯８の調光制御方法を有しているため、例えば自然光量が大きい、つまり自然光が支配的の場合には照明灯８への供給入力を所定レベルまで減少させて、部屋全体の明るさを適正に維持することができる。したがって、部屋の明るさにあまり貢献しない照明灯８への供給入力を低減することが可能であり、電気代が節約できるという省エネ効果を図った照明灯の調光制御方法を提供できる。
【００２０】
実施の形態２．
図４は、この発明による照明灯の調光制御方法における、他の実施の形態を説明するタイミングチャートである。なお、構成図及び動作フローチャートは実施の形態１と同様であるので、ここでは説明を省略する。図４において、自然光量が大の領域では（図４中の（１）の領域）、部屋の明るさを自然光が支配する割合が大きいので、照明灯８を深くまで調光できる。また、自然光量が中又は小の領域では（図４中の（２）の領域）、部屋の明るさを自然光が支配する割合が小さいので、照明灯８を浅く調光させる。図４において、自然光量が大の領域では横軸の経過時間に伴って縦軸の照明灯８への供給入力は徐々に減少していき、第１基準レベルに到達した直後に照明灯８への供給入力が所定量だけ増大する。そして、第２基準レベルに到達した直後に供給入力が再び所定量だけ減少する（図４中のＡライン）。ここでは、照明灯８への供給入力の減少量と増大量との関係を、減少量＜増大量とする。こうした一連の動作を、連続的に繰り返す。
【００２１】
また、図４において自然光量が大の領域から中の領域へと変化したときに、光検出器５の出力変化率αは大きくなるので（図２に示すフローチャート上で、ステップＳ５０における演算動作）、照明灯８への供給入力が増大と減少とを順次繰り返しながら上昇方向に進んでいく（図２に示すフローチャート上で、ステップＳ３０とステップＳ７０との繰り返し動作）。そして、照明灯８への供給入力が第１’基準レベルを通過した後に、増大方向から減少方向へと切り替わる。次に、供給入力が第１’基準レベルに到達した直後に再び増大して、第２’基準レベルへ向かっていく。そして、供給入力が第２’基準レベルに到達した直後に再び減少していく。このように、照明灯８への供給入力は第１’基準レベルと第２’基準レベルとの間の領域を、減少と増大とを順次繰り返しながら進んでいく（図４中のＢライン）。なお、第１’基準レベルは第１基準レベルと同一の定義付けである。第２’基準レベルは、第２基準レベルと同一の定義付けである。このことは、実施の形態３についても同様である。
【００２２】
また、図４において自然光量が大の領域から小の領域へと変化したときに、光センサー５の出力変化率αはさらに大きくなるので（図２に示すフローチャート上で、ステップＳ５０における演算動作）、照明灯８への供給入力が増大と減少とを順次繰り返しながら、より一層上昇方向に進んでいく（図２に示すフローチャート上で、ステップＳ３０とステップＳ７０との繰り返し動作）。そして、照明灯８への供給入力が第１’’基準レベルを通過した後に、増大方向から減少方向へと切り替わる。次に、供給入力が第１’’基準レベルに到達した直後に再び増大して第２’’基準レベルへ向かっていく。そして、供給入力が第２’’基準レベルに到達した直後に再び減少していく。このように、照明灯８への供給入力は第１’’基準レベルと第２’’基準レベルとの間の領域を、減少と増大とを順次繰り返しながら進んでいく（図４中のＣライン）。なお、第１’’基準レベルは第１基準レベルと同一の定義付けである。第２’’基準レベルは、第２基準レベルと同一の定義付けである。このことは、実施の形態３についても同様である。
【００２３】
こうした照明灯８の調光制御方法を有しているため、例えば自然光量が大きい、つまり自然光が支配的の場合には照明灯８への供給入力を所定レベルまで減少させて、部屋全体の明るさを適度に維持することができる。また、自然光量が大領域から中領域へ又は大領域から小領域へという具合に、小さく変化したり、大きく変化した場合でも照明灯８への供給入力を徐々に増大させて、照明灯８の調光度を所定通りに制御できる。このために、外部からの自然光量が変化しても常に部屋全体の明るさを適度に維持することができる。また、部屋の明るさにあまり貢献しない照明灯８への供給入力を低減することが可能であり、電気代が節約できるという省エネ効果が十分に期待できる。
【００２４】
実施の形態３．
図５は、この発明による照明灯の調光制御方法における、さらに他の実施の形態を説明する動作フローチャートである。なお、構成図は実施の形態１と同様である。図５において、フローチャートＳ０〜Ｓ３０、Ｓ４０、Ｓ５０〜Ｓ７０における動作内容は実施の形態１と同一であるので、ここでは他のフローチャートの動作を詳細に説明する。照明灯８への供給入力を所定量だけ減少させ（ステップＳ３０）、その後に前回に読み込まれた光センサー５の出力Ａ２、つまり前回における減少後の光センサー５の出力Ａ２をＡ２ＯＬＤと書き込みする（ステップＳ３１）。そして、今回の光センサー５の出力Ａ２を読み込み（ステップＳ４０）、その後に光センサー５の出力Ａ２ＯＬＤと出力Ａ２との出力差γと部屋の照度が急激に低下したかどうかを判別するしきい値Ｃ２との大きさを比較する（ステップＳ４２）。もし、仮にγ≧Ｃ２を満足しないときはＮＯと判断し、部屋の温度が急激に低下していないと判断するので、光センサー５の出力から出力変化（Ａ１−Ａ２）を出力Ａ１で割った出力変化率αを算出する（ステップＳ５０）。それ以降の動作フロー（ステップＳ６０以降）の内容は、実施の形態１と同様であるので説明を省略する。
【００２５】
また、光センサー５の出力差γとしきい値Ｃ２との大きさを比較し（ステップＳ４２）、仮にγ≧Ｃ２を満足するときはＹＥＳと判断して、部屋の照度が急激に低下したと判断するので、照明灯８を最大出力で点灯させる（ステップＳ１０）。そして、実施の形態１で説明した動作フロー（ステップＳ１０以降）を含めた上で実行させて、照明灯８への供給入力を制御しながら部屋の照度を適正領域に収まるよう調整する  このような動作フローチャートの制御プログラムを、調光制御回路４に予め設定しておく。
【００２６】
また、照明灯８の調光制御の動作を、図６に示すタイミングチャートを併用して説明する。自然光量が大の領域では横軸の経過時間に伴って縦軸の照明灯８への供給入力は徐々に減少していき、第１基準レベルに到達した直後に供給入力が所定量だけ増大する。そして、第２基準レベルに到達した直後に供給入力が再び所定量だけ減少する（図６中のＡライン）。ここでは、照明灯８への供給入力の減少量と増大量との大きさを同等とする。こうした一連の動作を、順次繰り返す。
【００２７】
また、図６において自然光量が大の領域から中の領域へと変化したときに、光センサー５の出力差γ（Ａ２ＯＬＤ−Ａ２）はしきい値Ｃ２と比較して出力差γ≧しきい値Ｃ２となるので、照明灯８への供給入力は最大出力まで急激に増大する。そして、供給入力が第３基準レベルつまり最大出力値に到達した直後に徐々に減少して、第１’基準レベルに到達した直後に増大する。次に、供給入力が第２’基準レベルに到達した直後に再び減少する。このように、第１’基準レベルと第２’基準レベルとの間の領域を、供給入力が減少と増大とを順次繰り返しながら進んでいく（図６中のＢライン）。
【００２８】
また、図６において自然光量が大の領域から小の領域へと変化したときに、前述と同様に光センサー５の出力差γ（Ａ２ＯＬＤ−Ａ２）はしきい値Ｃ２と比較して出力差γ≧しきい値Ｃ２となるので、照明灯８への供給入力は最大出力まで急激に増大する。そして、供給入力が第３基準レベルに到達した直後に徐々に減少して、第１’’基準レベルに到達した直後に増大する。次に、供給入力が第２’’基準レベルに到達した直後に再び減少する。このように、第１’’基準レベルと第２’’基準レベルとの間の領域を、供給入力が減少と増大とを順次繰り返しながら進んでいく（図６中のＣライン）。
【００２９】
こうした調光制御方法を有しているため、例えば自然光量が大きい、つまり自然光が支配的の場合には照明灯８への供給入力を所定レベルまで減少させて、部屋全体の明るさを適度に維持することができる。また、自然光量が大領域から中領域へ又は大領域から小領域へという具合に、小さく変化したり、大きく変化した場合でも照明灯８への供給入力を速やかに最大に設定して点灯させ（調光度１００％）、その後で所定の供給入力となるように制御することができる。これによって、自然光量が低下しても迅速に部屋の照度を適正領域に移行できるので、人間の目に対して暗くなるという違和感がなくなる。また、部屋の明るさにあまり貢献しない照明灯８への供給入力を低減することが可能であり、電気代が節約できるという省エネ効果を十分に期待できる。
【００３０】
実施の形態４．
図７は、この発明による照明灯の調光制御方法における、さらに他の実施の形態を説明する動作フローチャートである。なお、構成図は実施の形態１と同様であり、ここでは照明灯８の近傍に設けられる光センサー５を少なくとも２個使用する。図７において、フローチャートＳ０、Ｓ１０の動作は実施の形態１と同一であるので、それ以降の動作フローチャートについて説明する。第１の光センサー５ａで照明灯８からの人工光及び自然光の照度を検出し、第１の光センサー５ａの出力Ａ１を読み込む（ステップＳ２０）。次に、第１の光センサー５ａに対し所定の間隔をおいて設けられる第２の光センサー５ｂで、照明灯８からの人工光及び自然光の照度を検出し、第２の光センサー５ｂの出力Ｂ１を読み込む（ステップＳ２１）。そして、第１の光センサー５ａの出力Ａ１と第２の光センサー５ｂの出力Ｂ１との差分量、つまり絶対量｜β１｜を算出する（ステップＳ２２）。次に、絶対量｜β１｜と照明灯８の下方に例えば人間が存在するかどうかを判別するしきい値Ｃ３との大きさを比較する（ステップＳ２３）。もし仮に、照明灯８の下方に人間が存在した場合は、照明灯８からの人工光及び自然光の一部が人間の頭部あるいは衣服に照射するので、光の吸収、反射の現象を起こす。これによって第１の光センサー５ａあるいは第２の光センサー５ｂの受光量が変化する。このときは、第１の光センサー５ａと第２の光センサー５ｂとの出力に差が生じるので、｜β１｜≧Ｃ３を満足することになる。そして、ＹＥＳと判断して第１の光センサー５ａ及び第２の光センサー５ｂで、再び照明灯８からの人工光及び自然光の照度を検出する。そして、第１の光センサー５ａの出力Ａ１を読み込み（ステップＳ２０）、その後に第２の光センサー５ｂの出力Ｂ１を読み込む（ステップＳ２１）。これ以降の動作は、前述と同様である。
【００３１】
また、絶対量｜β１｜としきい値Ｃ３との大きさを比較し（ステップＳ２３）、｜β１｜≧Ｃ３を満足しないとき、つまり照明灯８の下方に人間が存在しない場合はＮＯと判断して、光センサー５ａの出力Ａ１と光センサー５ｂの出力Ｂ１から出力平均値Ｌ１を算出する（ステップＳ２４）。そして、照明灯８への供給入力を所定量だけ減少し（ステップＳ３０）、照明灯８からの人工光及び自然光の照度を第１の光センサー５ａ及び第２の光センサー５ｂで検出する。次に、第１の光センサー５ａの出力Ａ２を読み込み（ステップＳ４０）、第２の光センサー５ｂの出力Ｂ２を読み込む（ステップＳ４１）。その後に、第１の光センサー５ａの出力Ａ２と第２の光センサー５ｂの出力Ｂ２との差分量、つまり絶対量｜β２｜を算出する（ステップＳ４２）。そして、絶対量｜β２｜としきい値Ｃ３との大きさを比較し（ステップＳ４３）、仮に｜β２｜≧Ｃ３を満足するときはＹＥＳと判断して、第１の光センサー５ａ及び第２の光センサー５ｂで照明灯８からの人工光及び自然光の照度を検出する。次に、第１の光センサー５ａの出力Ａ２を読み込み（ステップＳ４０）、その後に第２の光センサー５ｂの出力Ｂ２を読み込む（ステップＳ４１）。これ以降の動作は、前述と同様である。
【００３２】
また、絶対量｜β２｜としきい値Ｃ３との大きさを比較し（ステップＳ４３）、仮に｜β２｜≧Ｃ３を満足しないときはＮＯと判断して、前回に読み込んだ減光後の第１の光センサー５ａと第２の光センサー５ｂとの出力平均値Ｌ２を、Ｌ２ＯＬＤと書き込みする（ステップＳ４４）。次に、今回に読み込んだ第１の光センサー５ａの出力Ａ２と第２の光センサー５ｂの出力Ｂ２から出力平均値Ｌ２を算出する（ステップＳＳ４５）。そして、前回の出力平均値Ｌ２ＯＬＤと今回の出力平均値Ｌ２から、出力差γを算出する（ステップＳ４６）。次に、出力差γとしきい値Ｃ２との大きさを比較し（ステップＳ４７）、γ≧Ｃ２を満足するときはＹＥＳと判断して照明灯８への供給入力を最大に設定して点灯させる（ステップＳ１０）。これ以降の動作は、前述と同様である。なお、しきい値Ｃ２の定義付けは実施の形態３と同様である。
【００３３】
また、γ≧Ｃ２を満足しないときはＮＯと判断して、前述の出力平均値Ｌ１と出力平均値Ｌ２から出力平均値変化（Ｌ１−Ｌ２）を出力平均値Ｌ１で割った出力変化率αを算出する（ステップＳ５０）。これ以降の動作はフロー（ステップＳ６０〜Ｓ７０）は実施の形態１〜３と同様であるので、ここでは説明を省略する。なお、照明灯８への供給入力の減少量と増加量との大きさを同等とする。このような動作フローチャートの制御プログラムを、調光制御回路４を予め設定しておく。
【００３４】
また、照明灯８の調光制御の動作を示すタイミングチャートについては、実施の形態３と同様であるので、ここでは説明を省略する。
【００３５】
こうした調光制御方法を有しているため、例えば自然光量が大きい、つまり自然光が支配的の場合には照明灯８への供給入力を所定レベルまで減少させて、部屋全体の明るさを適度に維持することができる。したがって、部屋の明るさにあまり貢献しない照明灯８への供給入力を低減することが可能であり、電気代が節約できるという省エネ効果を十分に期待できる。
【００３６】
また、自然光量が大領域から中領域へ又は大領域から小領域へと減少した場合に、照明灯８への供給入力を速やかに最大に設定して照明灯８を点灯させ（調光度１００％）、その後で所定の供給入力となるように制御することができる。これによって、自然光量が急激に低下しても迅速に部屋の照度を適正領域に移行できるので、人間の目に対して暗くなるという違和感がなくなる。
【００３７】
また、照明灯８の下方を人間が横切ったり又は照明灯８の下方に人間が止まっている場合でも、第１の光センサー５ａと第２の光センサー５ｂとの出力差を算出処理しているので、照明灯５への供給入力が変化せず、つまり照明灯８の調光度が変化することはない。これにより、常に部屋全体の明るさを適度に、かつ安定に維持させることができる。
【００３８】
【発明の効果】
この発明は、以上説明したように構成されているので、以下に記載されるような効果を奏する。
【００３９】
この発明に係わる照明灯の調光制御方法によれば、照明灯からの人工光及び自然光の照度を光検出器で検出し、照明灯への供給入力を点灯開始時に所定値に設定した後で減少させ、その工程の動作に伴って光検出器の出力変化率が上昇してあるしきい値に至ったときに供給入力を所定量増大させ、その後で所定量減少させる動作を繰り返すようにしたので、例えば自然光量が大きい、つまり自然光が支配的の場合には照明灯への供給入力を所定レベルまで減少させて、部屋全体の明るさを適度に維持することができる。したがって、部屋の明るさにあまり貢献しない照明灯への供給入力を低減することが可能であり、電気代が節約できる省エネ効果を図った照明灯の調光制御方法が得られる。
【００４０】
また、供給入力の増大量と減少量との大きさの関係を、増大量の方を減少量より大きく設定するようにしたので、自然光量が急激に低下した場合でも照明灯への供給入力を徐々に増大させて照明灯の調光度を所定通りに制御できる。このために、外部からの自然光量が変化しても常に部屋全体の明るさを適度に維持することができる。また、部屋の明るさにあまり貢献しない照明灯への供給入力を低減することが可能であり、電気代が節約できるという省エネ効果を図った照明灯の調光制御方法が得られる。
【００４１】
また、供給入力を所定量増大させた後で所定量減少させる動作を繰り返す過程において、自然光の照度が低下したときに供給入力を所定値まで瞬時に増大させた後で減少させ、その動作に伴って光検出器の出力変化率が上昇してあるしきい値に至ったときに、供給入力を所定量増大させた後で所定量減少させる動作を繰り返すようにしたので、自然光量が小さくあるいは大きく低下した場合でも迅速に部屋の照度を適正領域に移行できるので、人間の目に対して暗くなるという違和感がなくなる。また、部屋の明るさにあまり貢献しない照明灯への供給入力を低減することが可能であり、電気代が節約できるという省エネ効果を図った照明灯の調光制御方法が得られる。
【００４２】
また、複数の光検出器で照明灯からの人工光及び自然光の照度を検出し、複数の光検出器同志の出力差が零であり、かつ自然光の照度が低下したときに供給入力を所定値まで瞬時に増大させた後で減少させるようにしたので、照明灯の下方を人間が横切ったり又は照明灯の下方に人間が止まっている場合でも、照明灯への供給入力が変化せず、つまり照明灯の調光度が変化することはない。これにより、常に部屋全体の明るさを適度に、かつ安定に維持させることができる照明灯の調光制御方法が得られる。
【図面の簡単な説明】
【図１】この発明による照明装置の実施の形態１を示す構成図である。
【図２】実施の形態１、２の動作を示すフローチャート図である。
【図３】実施の形態１の動作を示すタイミングチャート図である。
【図４】実施の形態２の動作を示すタイミングチャート図である。
【図５】実施の形態３の動作を示すフローチャート図である。
【図６】実施の形態３の動作を示すタイミングチャート図である。
【図７】実施の形態４の動作を示すフローチャート図である。
【図８】従来の照明装置を説明する構成図である。
【図９】従来の他の照明装置を説明する構成図である。
【符号の説明】
１  商用電源、２  整流・平滑回路、３  コンバータ、４  調光制御回路、５光センサー、５ａ  第１の光センサー、５ｂ  第２の光センサー、６  インバータ、７  コイル、８  照明灯、９  制御回路部。
【図１】
0003633196.tif 000002
【図２】
0003633196.tif 000003
【図３】
0003633196.tif 000004
【図４】
0003633196.tif 000005
【図５】
0003633196.tif 000006
【図６】
0003633196.tif 000007
【図７】
0003633196.tif 000008
【図８】
0003633196.tif 000009
【図９】
0003633196.tif 000010